(57)【要約】      （修正有）【課題】扉と取付け対象との上下位置調整時における作業性を向上し得るとともに、調整後の上下位置の位置ズレを防止し得る扉連結部材、及びこれを用いた扉連結構造を提供する。【解決手段】扉連結部材１であって、取付け面部３及び取付け面部７のうちの一方に固着される第１ケーシング１１、第１調整ブロック２０を有した第１連結本体１０と、他方に取付けられる第２連結本体３０と、連結アーム５０，６０とを備え、第１調整ブロックは上下方向に進退可能とされるとともに、調整操作部及び調整当接部２６ａを有した上下調整ねじ部２６と、ブロック側ねじ部２５と、連結突起部２８とが設けられ、第１ケーシングには連結突起部が挿通され、その上下動を許容する長孔１３と調整受け部１４とが設けられており、上下調整ねじ部を操作することで、第１ケーシングと第１調整ブロックとが相対的に上下に移動する構造。【選択図】図１
2010255239.tif 000002
【特許請求の範囲】
【請求項１】
扉を取付け対象に対して開閉自在に連結するための扉連結部材であって、
前記扉の取付け面部及び前記取付け対象の取付け面部のうちの一方に固着される第１ケーシング、及び該第１ケーシングに取付けられる第１調整ブロックを有した第１連結本体と、他方に取付けられる第２連結本体と、前記扉の開閉動作に伴う前記第２連結本体と前記第１調整ブロックとの相対的な移動を可能にこれらを連結する連結アームとを備え、
前記第１調整ブロックには、当該第１調整ブロックに対して上下方向に進退可能とされるとともに、その進退量を調整するための調整操作部及び前記第１ケーシングに当接する調整当接部を有した上下調整ねじ部と、該上下調整ねじ部に螺合するブロック側ねじ部と、前記第１ケーシングに連結される連結突起部とが設けられる一方、
前記第１ケーシングには、前記連結突起部が挿通され、その上下動を許容する長孔と、前記調整当接部が当接する調整受け部とが設けられており、前記上下調整ねじ部をねじ作用方向に操作することで、前記第１ケーシングと前記第１調整ブロックとが相対的に上下に移動する構造とされていることを特徴とする扉連結部材。
【請求項２】
請求項１において、
前記第１ケーシングの長孔を前記取付け面部に略平行に配されるケーシング背部に設け、かつ、前記第１調整ブロックに、水平方向に貫通し、一方が前記ケーシング背部に向けて開口した雌ねじ部を設けた構成とし、
前記連結突起部は、該雌ねじ部に螺合する雄ねじ部を有するとともに、前記一方の開口から前記ケーシング背部に向けて突出し、前記長孔に一端部が挿通されて該一端部が前記第１ケーシングに回動自在に連結された連結支持ピンとされており、
前記連結支持ピンの他端部に設けられた前記雄ねじ部の操作部を、ねじ作用方向に操作することで、前記第１ケーシングと前記第１調整ブロックとが前記雄ねじ部に沿って相対的に移動する構造とされていることを特徴とする扉連結部材。
【請求項３】
請求項１または２において、
前記第２連結本体は、前記取付け面部のうちの他方に固着される第２ケーシングと、該第２ケーシングに取付けられ、前記連結アームに連結された第２調整ブロックとを備え、
前記第２調整ブロックには、長径が前記取付け面部に略平行な方向かつ水平方向に沿った調整用長孔が設けられており、
前記第２調整ブロックは、該調整用長孔に挿通された固定止具によって前記第２ケーシングに対して固定されることを特徴とする扉連結部材。
【請求項４】
請求項１乃至３のいずれか１項において、
前記ブロック側ねじ部を、前記第１調整ブロックに上下方向に沿って設けた雌ねじ穴とし、前記上下調整ねじ部を、ボルト部材とし、該ボルト部材のボルト頭部が前記調整操作部及び調整当接部を構成することを特徴とする扉連結部材。
【請求項５】
請求項１乃至４のいずれか１項において、
前記第１連結本体及び前記第２連結本体のそれぞれには、閉扉状態において互いに向き合う方向に開口したアーム収容凹部が設けられており、
前記連結アームは、閉扉状態において前記アーム収容凹部に概ね収容される構造とされていることを特徴とする扉連結部材。
【請求項６】
請求項１乃至５のいずれか１項において、
前記連結アームは、それぞれの一端部が前記第１連結本体に回動自在に取付けられる一方、それぞれの他端部が前記第２連結本体に回動自在に取付けられた第１連結アーム及び第２連結アームを備え、
前記第１連結アームと前記第２連結アームとは、閉扉状態から開扉状態とされる際に、前記第１連結アームにおける各端部の回動支点を結ぶ直線と、前記第２連結アームにおける各端部の回動支点を結ぶ直線とが概ね交差するように、互いに独立して移動する構造とされていることを特徴とする扉連結部材。
【請求項７】
請求項１乃至６のいずれか１項に記載された扉連結部材を用いて、扉を取付け対象に対して開閉自在に連結する扉連結構造であって、
前記第１連結本体を前記扉の取付け面部に設けた凹所に収容させて取付ける一方、前記第２連結本体を前記取付け対象の取付け面部に設けた凹所に収容させて取付けた構造とされていることを特徴とする扉連結構造。
【発明の詳細な説明】
【技術分野】
【０００１】
本発明は、扉を取付け対象に対して開閉自在に連結するための扉連結部材、及びこれを用いた扉連結構造に関する。
【背景技術】
【０００２】
扉を、例えば、扉枠（戸枠、開口枠）や他の扉、キャビネット等の収納庫の側板などの取付け対象に対して開閉自在に連結するための扉連結部材としては、従来より種々のものが提案されている。
例えば、一般的な扉連結部材としては、ヒンジピンと該ヒンジピンに回動自在に連結された二枚の羽部材とからなる平蝶番タイプのものが知られている。
このような平蝶番タイプのものでは、閉扉された状態において扉と取付け対象との間に、ヒンジピンの部位が露出してしまい、見栄えが良くないといった問題があった。
【０００３】
その他の扉連結部材としては、例えば、下記特許文献１では、戸扉等の端面にそれぞれ埋め込まれる一対のケーシングと、これらケーシングを相対回転可能に連結するリンク機構とを備えた隠し蝶番が提案されている。
上記隠し蝶番のケーシングは、ケーシング本体と、該ケーシング本体に組み付けられるとともに、上記リンク機構が連結される上下位置調整部材とを備えている。
この上下位置調整部材には、上下に長い長穴が設けられ、上記ケーシング本体に設けられた雌ねじ部に対して、該長穴を介して調整ねじを螺入して締め付けることで、該上下位置調整部材がケーシング本体に組み付けられる構造とされている。
これによれば、戸に埋め込み固定されたケーシング本体を上下位置調整部材の長穴の縦方向の長さの範囲内で上下に動かすことで、戸の上下方向の位置調整が可能とされている。
【０００４】
また、下記特許文献２では、扉枠に固定される第１蝶番ケーシングと、該第１蝶番ケーシングに取付けられる第１調整ブロックと、扉に固定される第２蝶番ケーシングと、該第２蝶番ケーシングに取付けられる第２調整ブロックと、これら第１調整ブロック及び第２調整ブロックを相対移動可能に連結する二組の連結アームとを備えた隠し蝶番の構造が提案されている。
この隠し蝶番の構造では、上記第１調整ブロックには、上記第１蝶番ケーシングに対して該第１調整ブロックを左右調整可能に取付けるための長孔が設けられており、上記第２調整ブロックには、上記第２蝶番ケーシングに対して該第２調整ブロックを正面方向に調整可能に取付けるためのネジ孔が設けられている。
【先行技術文献】
【特許文献】
【０００５】
【特許文献１】特開平６−２８８１３９号公報（図７参照）
【特許文献２】特開２００８−２５２７０号公報（図６参照）
【発明の概要】
【発明が解決しようとする課題】
【０００６】
しかしながら、上記特許文献１に記載された隠し蝶番では、戸の上下方向の位置調整が可能ではあるが、ケーシング本体の雌ねじ部に対して、上下に長い長穴を介して調整ねじを螺入して締め付けて、上下位置調整部材を固定する構造とされているので、戸の荷重によって上下方向に位置ズレが生じる恐れがあった。また、上下に長い長穴に沿って上下方向の位置調整をする必要があるので、戸を上下に移動させて上下位置を調整しながら、調整ねじを締め付ける作業は、一人では困難な作業であり作業性の改善が望まれていた。
また、上記特許文献２に記載された隠し蝶番の構造では、左右方向及び正面方向への位置調整は可能ではあるが、特に、扉や戸の位置調整において上述のように、困難な作業となる上下方向の位置調整を可能とするものではなかった。
【０００７】
本発明は、上記実情に鑑みなされたものであり、簡易な構造でありながら、扉と取付け対象との上下位置調整時における作業性を向上し得るとともに、調整後の上下位置の位置ズレを防止し得る扉連結部材、及びこれを用いた扉連結構造を提供することを目的としている。
【課題を解決するための手段】
【０００８】
前記目的を達成するために、本発明に係る扉連結部材は、扉を取付け対象に対して開閉自在に連結するための扉連結部材であって、前記扉の取付け面部及び前記取付け対象の取付け面部のうちの一方に固着される第１ケーシング、及び該第１ケーシングに取付けられる第１調整ブロックを有した第１連結本体と、他方に取付けられる第２連結本体と、前記扉の開閉動作に伴う前記第２連結本体と前記第１調整ブロックとの相対的な移動を可能にこれらを連結する連結アームとを備え、前記第１調整ブロックには、当該第１調整ブロックに対して上下方向に進退可能とされるとともに、その進退量を調整するための調整操作部及び前記第１ケーシングに当接する調整当接部を有した上下調整ねじ部と、該上下調整ねじ部に螺合するブロック側ねじ部と、前記第１ケーシングに連結される連結突起部とが設けられる一方、前記第１ケーシングには、前記連結突起部が挿通され、その上下動を許容する長孔と、前記調整当接部が当接する調整受け部とが設けられており、前記上下調整ねじ部をねじ作用方向に操作することで、前記第１ケーシングと前記第１調整ブロックとが相対的に上下に移動する構造とされていることを特徴とする。
【０００９】
本発明に係る前記扉連結部材においては、前記第１ケーシングの長孔を前記取付け面部に略平行に配されるケーシング背部に設け、かつ、前記第１調整ブロックに、水平方向に貫通し、一方が前記ケーシング背部に向けて開口した雌ねじ部を設けた構成としてもよい。この場合は、前記連結突起部を、該雌ねじ部に螺合する雄ねじ部を有するとともに、前記一方の開口から前記ケーシング背部に向けて突出し、前記長孔に一端部が挿通されて該一端部が前記第１ケーシングに回動自在に連結された連結支持ピンとし、前記連結支持ピンの他端部に設けられた前記雄ねじ部の操作部を、ねじ作用方向に操作することで、前記第１ケーシングと前記第１調整ブロックとが前記雄ねじ部に沿って相対的に移動する構造としてもよい。
【００１０】
本発明に係る前記いずれかの扉連結部材においては、前記第２連結本体を、前記取付け面部のうちの他方に固着される第２ケーシングと、該第２ケーシングに取付けられ、前記連結アームに連結された第２調整ブロックとを備えた構成とし、前記第２調整ブロックに、長径が前記取付け面部に略平行な方向かつ水平方向に沿った調整用長孔を設け、前記第２調整ブロックを、該調整用長孔に挿通された固定止具によって前記第２ケーシングに対して固定するようにしてもよい。
【００１１】
本発明に係る前記いずれかの扉連結部材においては、前記ブロック側ねじ部を、前記第１調整ブロックに上下方向に沿って設けた雌ねじ穴とし、前記上下調整ねじ部を、ボルト部材とし、該ボルト部材のボルト頭部が前記調整操作部及び調整当接部を構成するようにしてもよい。
【００１２】
本発明に係る前記いずれかの扉連結部材においては、前記第１連結本体及び前記第２連結本体のそれぞれに、閉扉状態において互いに向き合う方向に開口したアーム収容凹部を設け、前記連結アームを、閉扉状態において前記アーム収容凹部に概ね収容させる構造としてもよい。
【００１３】
本発明に係る前記いずれかの扉連結部材においては、前記連結アームを、それぞれの一端部が前記第１連結本体に回動自在に取付けられる一方、それぞれの他端部が前記第２連結本体に回動自在に取付けられた第１連結アーム及び第２連結アームを備えた構成とし、前記第１連結アームと前記第２連結アームとを、閉扉状態から開扉状態とされる際に、前記第１連結アームにおける各端部の回動支点を結ぶ直線と、前記第２連結アームにおける各端部の回動支点を結ぶ直線とが概ね交差するように、互いに独立して移動する構造としてもよい。
【００１４】
また、前記目的を達成するために、本発明に係る扉連結構造は、前記いずれかの扉連結部材を用いて、扉を取付け対象に対して開閉自在に連結する扉連結構造であって、前記第１連結本体を前記扉の取付け面部に設けた凹所に収容させて取付ける一方、前記第２連結本体を前記取付け対象の取付け面部に設けた凹所に収容させて取付けた構造とされていることを特徴とする。
【発明の効果】
【００１５】
本発明に係る前記扉連結部材は、上記第１調整ブロックに設けられた上記上下調整ねじ部をねじ作用方向に操作することで、該上下調整ねじ部が当該第１調整ブロックに対して上下方向に沿って進退する。この上下調整ねじ部の上下方向への進退によって、当該第１調整ブロックの連結突起部が、上記第１ケーシングの上記長孔に沿って移動するとともに、上記上下調整ねじ部の調整当接部が上記第１ケーシングの調整受け部に当接して、該第１ケーシングと上記第１調整ブロックとが相対的に上下に移動する。
従って、上記第２連結本体に連結アームを介して連結された第１調整ブロックと、第１ケーシングとを相対的に上下に移動させることができるので、これら第１ケーシング及び第２連結本体のいずれかが取付けられた扉及び取付け対象を相対的に上下に移動させることができる。すなわち、本発明によれば、上記第１調整ブロックに設けられた上記上下調整ねじ部の操作によって扉と取付け対象とを相対的に上下に移動させることができるので、簡易な構造でありながらも、上下位置調整時における作業性を向上させることができる。
また、上記上下調整ねじ部は、上記第１調整ブロックのブロック側ねじ部に螺合し、ねじ作用によって上下に進退する構成とされているので、例えば、上記特許文献１に記載されたものと比べて、調整後の上下位置の位置ズレを確実に防止できるとともに、僅かな上下位置の調整も容易かつ確実に行うことができる。
【００１６】
本発明に係る前記扉連結部材において、前記第１ケーシングの長孔を前記取付け面部に略平行に配されるケーシング背部に設け、かつ、前記第１調整ブロックに、水平方向に貫通し、一方が前記ケーシング背部に向けて開口した雌ねじ部を設けた構成とし、前記連結突起部を、該雌ねじ部に螺合する雄ねじ部を有するとともに、前記一方の開口から前記ケーシング背部に向けて突出し、前記長孔に一端部が挿通されて該一端部が前記第１ケーシングに回動自在に連結された連結支持ピンとし、前記連結支持ピンの他端部に設けられた前記雄ねじ部の操作部を、ねじ作用方向に操作することで、前記第１ケーシングと前記第１調整ブロックとが前記雄ねじ部に沿って相対的に移動する構造とすれば、以下の効果を奏する。
すなわち、上記第１調整ブロックを、上記第１ケーシングに対して連結するための連結突起部を、該第１調整ブロックに水平方向に貫通した雌ねじ部に螺合する雄ねじ部を有した連結支持ピンによって構成しているので、該連結支持ピンを操作することで、上記取付け面部に対する法線方向に沿った方向（第１連結本体を扉の端面に取付けた場合は、扉幅方向）への位置調整を行うことができる。つまり、第１調整ブロックを第１ケーシングに連結するための連結突起部を、上記取付け面部に対する法線方向に沿った方向への位置調整用として兼用できる。従って、部品点数を増加させることなく、扉と取付け対象とを相対的に上下方向及び上記取付け面部に対する法線方向に沿った方向に位置調整することができる。
【００１７】
本発明に係る前記いずれかの扉連結部材において、前記第２連結本体を、前記取付け面部のうちの他方に固着される第２ケーシングと、該第２ケーシングに取付けられ、前記連結アームに連結された第２調整ブロックとを備えた構成とし、前記第２調整ブロックに、長径が前記取付け面部に略平行な方向かつ水平方向に沿った調整用長孔を設け、前記第２調整ブロックを、該調整用長孔に挿通された固定止具によって前記第２ケーシングに対して固定するようにすれば、以下の効果を奏する。
すなわち、上記第２ケーシングと第２調整ブロックとを相対的に取付け面部に略平行な方向かつ水平方向（第２連結本体を扉枠の開口側面に取付けた場合は、扉枠の見込み方向）に沿って位置調整することができる。従って、上記第１連結本体によってなされる上下方向の位置調整に加えて、扉と取付け対象とを相対的に取付け面部に略平行な方向かつ水平方向に沿って位置調整することができる。
特に、上記取付け面部に対する法線方向に沿った方向への位置調整が可能とされた構成を採用すれば、簡易な構造でありながら、三方向への位置調整が可能な扉連結部材となる。
【００１８】
本発明に係る前記いずれかの扉連結部材において、前記ブロック側ねじ部を、前記第１調整ブロックに上下方向に沿って設けた雌ねじ穴とし、前記上下調整ねじ部を、ボルト部材とし、該ボルト部材のボルト頭部が前記調整操作部及び調整当接部を構成するようにすれば、上記第１連結本体における上下位置調整手段を簡易な構造によって構成することができる。
【００１９】
本発明に係る前記いずれかの扉連結部材において、前記第１連結本体及び前記第２連結本体のそれぞれに、閉扉状態において互いに向き合う方向に開口したアーム収容凹部を設け、前記連結アームを、閉扉状態において前記アーム収容凹部に概ね収容させる構造とすれば、閉扉状態においては、上記連結アームが概ね収容されて露出せず、扉の連結部における美観性を向上させることができる。
【００２０】
本発明に係る前記いずれかの扉連結部材において、前記連結アームを、それぞれの一端部が前記第１連結本体に回動自在に取付けられる一方、それぞれの他端部が前記第２連結本体に回動自在に取付けられた第１連結アーム及び第２連結アームを備えた構成とし、前記第１連結アームと前記第２連結アームとを、閉扉状態から開扉状態とされる際に、前記第１連結アームにおける各端部の回動支点を結ぶ直線と、前記第２連結アームにおける各端部の回動支点を結ぶ直線とが概ね交差するように、互いに独立して移動する構造とすれば、以下の効果を奏する。
すなわち、上記した従来の隠し蝶番のようなリンク機構及び連結アームを連結するための垂直回転軸やスライド溝等を設ける必要がなく、当該扉連結部材の構造をより簡略化できる。
また、上記第１連結アーム及び上記第２連結アームのそれぞれの各端部は、それぞれ第１連結本体と第２連結本体とに回動自在に取付けられた構造とされているので、上記した従来の隠し蝶番のように、高さ方向に沿って異なる箇所に取付けられた各蝶番のスライド側の各支点がスライドすることによって生じる位置ズレ等が生じるような恐れがない。従って、当該扉連結部材を高さ方向に沿って複数箇所に取付けて、扉と取付け対象とを連結した場合には、該扉と取付け対象との間の隙間を、高さ方向で略均一に保持することができる。これにより、扉の連結部における美観性を向上させることができ、例えば、当該扉を扉枠等に連結した場合には、該扉の戸先側が垂れ下るようなことも防止できる。
さらに、上記第１連結アームと上記第２連結アームとは、閉扉状態から開扉状態とされる際に、該第１連結アームにおける各端部の回動支点を結ぶ直線と、該第２連結アームにおける各端部の回動支点を結ぶ直線とが概ね交差するように、互いに独立して移動する構造とされている。従って、上記各直線が交差した状態では、これら各アームが互いに規制し合うので、扉の開閉がなされる際に、該扉を一定の軌道上に沿って移動させることができ、該扉の開閉動作がスムーズになされる。
【００２１】
また、本発明に係る前記扉連結構造は、前記いずれかの扉連結部材を用いて、扉を取付け対象に対して開閉自在に連結する扉連結構造であって、前記第１連結本体を前記扉の取付け面部に設けた凹所に収容させて取付ける一方、前記第２連結本体を前記取付け対象の取付け面部に設けた凹所に収容させて取付けた構造とされているので、上記同様の効果を奏する。
【図面の簡単な説明】
【００２２】
【図１】（ａ）、（ｂ）は、いずれも本発明に係る扉連結部材の一実施形態を用いた扉連結構造の一例を示し、（ａ）は、図２（ａ）において、開扉状態とされた扉の連結部をＸ１方向から見た状態を模式的に示す概略正面図、（ｂ）は、（ａ）におけるＹ１−Ｙ１線矢視に対応させた概略縦断面図である。
【図２】（ａ）、（ｂ）は、いずれも同扉連結構造を用いた扉と取付け対象との連結状態を示し、（ａ）は、概略正面図、（ｂ）は、（ａ）におけるＸ２−Ｘ２線矢視概略横断面図である。
【図３】同扉連結部材を示す一部分解概略斜視図である。
【図４】同扉連結部材を示す一部分解概略斜視図である。
【図５】（ａ）、（ｂ）は、同扉連結部材を用いた位置調整の一例を説明するための図であり、（ａ）は、図１（ａ）に対応させた図、（ｂ）は、（ａ）におけるＹ２−Ｙ２線矢視に対応させた概略縦断面図である。
【図６】（ａ）、（ｂ）は、いずれも同扉連結構造を用いた扉の開扉状態を示し、（ａ）は、図１（ａ）におけるＸ３−Ｘ３線矢視に対応させて、図２（ｂ）におけるＺ部を拡大して模式的に示す概略横断面図、（ｂ）は、図１（ａ）におけるＸ４−Ｘ４線矢視に対応させて、図２（ｂ）におけるＺ部を拡大して模式的に示す概略横断面図である。
【図７】（ａ）、（ｂ）は、いずれも同扉の閉扉状態を示し、（ａ）は、図６（ａ）に対応させた概略横断面図、（ｂ）は、図６（ｂ）に対応させた概略横断面図である。
【図８】本発明に係る扉連結部材を用いた扉連結構造を概念的に示す説明図である。
【図９】（ａ）、（ｂ）は、いずれも本発明に係る扉連結部材の一変形例を用いた扉連結構造の一例を概念的にそれぞれ示す説明図である。
【発明を実施するための形態】
【００２３】
以下に本発明の実施の形態について、図面に基づいて説明する。
図１〜図７は、第１実施形態に係る扉連結部材、及びこれを用いた扉連結構造を示し、これらについて説明するための説明図である。
尚、以下の実施形態及び各変形例では、図２（ｂ）に示す閉扉状態の扉に対面して、当該扉が連結部を支点として開扉されて該扉が存在する側の空間側を、手前側とし、その逆側、すなわち、当該扉によって開閉される開口部の奥側の空間（隣室空間或いは収納空間など）側を、背面側として説明する。
また、図１（ｂ）、図５（ｂ）、図６及び図７では、扉並びに扉枠及び内壁を二点鎖線で示しており、図１（ｂ）及び図５（ｂ）では、後記する各カバーを取り外した状態を示している。
また、図６及び図７では、第１連結本体及び第２連結本体を模式的に示している。
【００２４】
本実施形態に係る扉連結部材１は、図２に示すように、住居等の内壁ｗに開設された開口部ｏｐを閉塞或いは開放する扉２と、該開口部ｏｐに設けられた扉枠６との連結部に設けられている。
本実施形態では、図２（ａ）に示すように、上記連結部の高さ方向に沿って、二箇所に扉連結部材１を設けた態様を例示している。尚、三箇所以上に設けるようにしてもよく、或いは、当該扉連結部材１自体を上下に長尺のものとし、単一の扉連結部材１によって連結するような態様としてもよい。
上記扉枠６は、取付け対象を構成する吊元側縦枠６ａと、開口部ｏｐを挟んで該吊元側縦枠６ａに対向して設けられた戸先側縦枠６ｂと、これら縦枠６ａ，６ｂの上端部を繋ぐように連設された上枠６ｃとを備えている。
【００２５】
上記吊元側縦枠６ａの手前側部近傍の開口側面７には、後記する第２連結本体３０の形状に合わせて形成され、上記戸先側縦枠６ｂに向けて開口した取付け凹所９（図１（ａ）及び図６参照）が、扉連結部材１の取付け箇所に対応させて二箇所に設けられている。
上記吊元側縦枠６ａは、上記取付け凹所９を設けられるような見付け（厚さ）寸法を有したものとすればよく、例えば、見付け寸法が２０ｍｍ〜３０ｍｍ程度のものとしてもよい。また、該取付け凹所９を設ける箇所は、後記する扉２の開閉がなされる際に、扉２との隙間を小さくするために、手前側寄りに設けるようにしてもよい。また、強度的な観点から手前側に５ｍｍ程度の加工残りを設けるようにしてもよい。このような寸法は、連結される扉２の重量等に応じて、扉連結部材１自体の寸法等が適宜、設定されるので、それに応じて、適宜、設定するようにすればよい。
また、上記吊元側縦枠６ａの手前側縁部には、扉２の開閉がなされる際に、扉２に接触することなく、かつ、扉２との間の隙間を比較的、小さくするために、図１（ａ）及び図６に示すように、Ｃ面取り加工によって面取り部７ａが形成されている。
尚、図１〜図３において、符号６ｄは、各縦枠６ａ，６ｂに設けられた戸当り部材である。
【００２６】
上記扉２は、図２（ｂ）に示すように、その吊元側端部が後記する扉連結部材１によって、上記吊元側縦枠６ａに開閉自在に連結されており、該吊元側端部を支点として手前側に向けて回動することで、開口部ｏｐが開放される。
該扉２の吊元側端面３には、後記する第１連結本体１０の形状に合わせて形成され、閉扉状態において、上記吊元側縦枠６ａに向けて開口した取付け凹所５（図１及び図７参照）が、扉連結部材１の取付け箇所に対応させて二箇所に設けられている。すなわち、該取付け凹所５と、上記吊元側縦枠６ａに設けられた取付け凹所９とは、閉扉状態において、略対面し、かつ、互いに向き合う方向に向けて開口している（図７参照）。
この扉２の厚さは、上記吊元側縦枠６ａと同様、上記取付け凹所５を設けられるような厚さを有したものとすればよく、例えば、厚さ寸法が３０ｍｍ〜４０ｍｍ程度のものとしてもよい。また、該取付け凹所５を設ける箇所は、当該扉２を開閉する際に、吊元側縦枠６ａとの隙間を小さくするために、例えば、扉２の厚さが比較的、厚い場合等では、手前側寄りに設けるようにしてもよい。このような寸法は、上記同様、扉２の重量等に応じて、扉連結部材１自体の寸法等が適宜、設定されるので、それに応じて、適宜、設定するようにすればよい。
【００２７】
また、上記扉２の吊元側端部の手前側縁部（図例では両縁部）には、上記面取り部７ａと同様、当該扉２の開閉がなされる際に、吊元側縦枠６ａに接触することなく、かつ、吊元側縦枠６ａとの間の隙間を比較的、小さくするために、図１（ａ）及び図７に示すように、Ｒ面取り加工によって面取り部３ａが形成されている。
尚、図２（ａ）、（ｂ）においては、閉扉状態の扉２を実線で示し、開扉状態の扉２を二点鎖線で示している。
また、図２において、符号２ａは、操作具としての把手（取っ手）である。
また、図例では、一対の縦枠６ａ，６ｂと、上枠６ｃとからなる三方枠の扉枠６を示しているが、下枠を備えた四方枠としてもよい。
【００２８】
上記扉連結部材１は、図１（ａ）及び図３に示すように、大略的に、上記扉２の吊元側端面３に設けられた取付け凹所５に収容されて取付けられる第１連結本体１０と、上記吊元側縦枠６ａの手前側部近傍の開口側面７に設けられた取付け凹所９に収容されて取付けられる第２連結本体３０と、これら第１連結本体１０と第２連結本体３０とを連結する一組の連結アーム５０，６０（第１連結アーム５０及び第２連結アーム６０）とを備えている。
【００２９】
上記第１連結本体１０は、上記扉２に設けられた取付け凹所５に収容されて固着される第１ケーシング１１と、該第１ケーシング１１内に収容されて固定される第１調整ブロック２０とを備えている。
上記第１ケーシング１１は、例えば、金属材料等からなる板状材料を屈曲させて形成されており、図１（ｂ）及び図４に示すように、上記扉２の吊元側端面３に略平行に配されて、上記取付け凹所５の奥側面に沿うように収容される第１ケーシング背部１２と、該第１ケーシング背部１２の上端部及び下端部からそれぞれ水平方向に向けて屈曲され、上記取付け凹所５の天面及び底面にそれぞれ沿うように収容される第１ケーシング天面部１４及び第１ケーシング底面部１６と、これら第１ケーシング天面部１４及び第１ケーシング底面部１６の先端部からそれぞれ上方及び下方に屈曲され、上記取付け凹所５の上下に連なるように形成された凹部に収容される上鍔部１５及び下鍔部１７とを備えている。
【００３０】
上記第１ケーシング背部１２の上端部位及び下端部位には、長径が上下方向に沿った上下調整用長孔１３，１３がそれぞれ形成されている。該第１ケーシング背部１２の上記部位の取付け凹所５側の部位には、後記する第１調整ブロック２０を第１ケーシング１１に対して連結するための連結突起部を構成する連結支持ピン２８，２８の一端部２８ｂが上記取付け凹所５の奥側面に干渉しないよう空所を形成するように段部が形成されている。
該第１ケーシング１１は、上記取付け凹所５に収容され、図１（ａ）に示すように、上記上鍔部１５及び下鍔部１７に設けられた挿通孔を介して木ネジ等の固着具によって、扉２の吊元側端面３に固着される。
【００３１】
上記第１調整ブロック２０は、例えば、金属材料等からなる四角柱形状の材料を適宜、加工（切削、鋳造等）して形成されており、図１（ｂ）及び図４に示すように、略水平方向に沿ってそれぞれ切り欠き形成された第２アーム収容凹部２２と、第１アーム収容凹部２１とが、上下に所定間隔を隔てて設けられている。
これら各アーム収容凹部２１，２２は、閉扉状態において当該第１連結本体１０に略対面して配される後記する第２連結本体３０側に向けて開口し、当該第１連結本体１０が上記取付け凹所５に収容された状態では、両側部のうちの開口する一側部が扉２の取付け凹所５の一側壁部によって閉塞された状態となる。尚、このような形状とせずに、当該第１調整ブロック２０自体を刳り抜くようにして、閉扉状態において当該第１連結本体１０に略対面して配される後記する第２連結本体３０側にのみ開口したアーム収容凹部としてもよい。
【００３２】
また、上記第１調整ブロック２０には、図１（ａ）に示すように、後記する第２連結アーム６０の回動支点となる第２アーム支持軸２４と、後記する第１連結アーム５０の回動支点となる第１アーム支持軸２３とが、上下の異なる箇所に設けられ、かつ、平面視において、その軸心（回動支点）が異なる位置となるように設けられている。
上記第２アーム支持軸２４は、上記第２アーム収容凹部２２の空所を上下に貫通するように設けられている一方、上記第１アーム支持軸２３は、上記第１アーム収容凹部２１の空所を上下に貫通するように設けられている。
これら各支持軸２３，２４は、図３に示すように、例えば、当該第１調整ブロック２０に上下方向に沿って設けられた貫通孔或いは挿通穴等から挿入し、後記する各連結アーム５０，６０に設けられた各軸挿通孔５２，６２に挿通させて、ピン部材等の固定支持手段によって第１調整ブロック２０に取付け、固定するようにしてもよい。
【００３３】
上記各支持軸２３，２４は、図７（ａ）、（ｂ）に示すように、本実施形態では、扉２の幅方向（吊元側から戸先側に沿った方向）に沿って、互いにずれた位置となるように設けられており、上記第１アーム支持軸２３が上記第２アーム支持軸２４よりも戸先側（扉２の重心側）に寄った位置となるように設けられている。これにより、後記するように比較的、機械的強度や剛性が大きい第１連結アーム５０に、扉２の荷重が主に掛かり、該第１連結アーム５０によって扉２を効率的に支持させることができる。また、他方の第２連結アーム６０をガイド（補助）アームとして機能させることができる。
また、上記各支持軸２３，２４は、扉２の厚み方向に沿って、互いにずれた位置となるように設けられており、上記第１アーム支持軸２３が上記第２アーム支持軸２４よりも手前面４側に寄った位置となるように設けられている。
さらに、これら各支持軸２３，２４は、平面視において、それぞれ扉２の手前面４側に、比較的、寄った位置となるように設けられている。すなわち、扉２の取付け面部を構成する上記吊元側端面３に隣接する面（手前面及び背面）のうち、当該扉２が後記するように、閉扉状態から開扉される際に、上記吊元側縦枠６ａに近接する側の隣接面である手前面４に寄った位置となるように、上記各支持軸２３，２４を設けている。
【００３４】
上記第１調整ブロック２０の上端部には、図１（ａ）及び図４に示すように、ブロック側ねじ部を構成する雌ねじ穴２５が、その上面から下方に向けて穿設されている。
この雌ねじ穴２５には、上下調整ねじ部を構成する上下調整ボルト２６が螺合し、これら雌ねじ穴２５と上下調整ボルト２６とによってブロック側上下調整手段を構成する。また、該上下調整ボルト２６のボルト頭部２６ａが、調整操作部及び調整当接部を構成し、該ボルト頭部２６ａの上面に、上記第１ケーシング１１の調整受け部を構成する第１ケーシング天面部１４が当接し、後記するように、上下位置の調整が可能となる。
当該扉連結部材１が組み付けられて扉２及び扉枠６に取付けられた状態では、図１に示すように、この上下調整ボルト２６のボルト頭部２６ａの上面に、上記第１ケーシング天面部１４が当接し、該第１ケーシング１１を介して扉２の荷重が第１調整ブロック２０に対して作用している。
【００３５】
また、該第１調整ブロック２０の上端部位及び下端部位には、それぞれ水平方向に貫通し、かつ、一方が上記第１ケーシング背部１２に向けて開口し、他方が閉扉状態において当該第１連結本体１０に略対面して配される後記する第２連結本体３０側に向けて開口した雌ねじ部２７，２７が形成されており、これら雌ねじ部２７，２７には、連結支持ピン２８，２８の雄ねじ部２８ａ，２８ａがそれぞれ螺入されている。
該連結支持ピン２８のそれぞれは、前記一方の開口から上記第１ケーシング背部１２に向けて、その一端部２８ｂが突出しており、該一端部２８ｂが第１ケーシング１１との連結部として、上記上下調整用長孔１３にそれぞれ挿通されて、該第１ケーシング背部１２に回動自在に連結されている。この連結支持ピン２８の一端部２８ｂの第１ケーシング背部１２への連結は、例えば、図４に示すように、該一端部２８ｂに設けられたフランジ部まで該一端部２８ｂを上記上下調整用長孔１３に挿入し、上記第１ケーシング背部１２の背面（凹所側の面）から突出した部位を、かしめ用ワッシャー１８に挿通させ、かしめ（リベッティング）によって、図１（ｂ）に示すように、第１ケーシング背部１２に回動自在に連結するようにしてもよい。
【００３６】
上記のように第１ケーシング１１に対して連結された第１調整ブロック２０は、後記するように上下位置の調整がなされる際に、上記第１ケーシング背部１２に設けられた上下調整用長孔１３に沿って上記連結支持ピン２８の一端部２８ｂが移動し、これら第１ケーシング１１と第１調整ブロック２０との相対的な上下移動を許容しながらも、これらの連結が上記連結支持ピン２８によってなされている。
また、上記連結支持ピン２８の他端部に設けられた上記雄ねじ部２８ａの操作部は、上記雌ねじ部２７に螺入された状態で、図１（ａ）に示すように、外方側からの操作が可能とされている。該操作部を雄ねじ部２８ａのねじ作用方向に操作することで、上記第１調整ブロック２０と第１ケーシング１１とが相対的に上記雄ねじ部２８ａに沿って移動する構成とされている。すなわち、後記するように、当該第１連結本体１０が取付けられた扉２の幅方向（左右方向、吊元側端面３に対する法線方向に沿った方向）への位置調整を行うことができる。
【００３７】
上記構成とされた第１連結本体１０は、図３に示すように、例えば、合成樹脂等で製された第１カバー１９によってカバーされる。該第１カバー１９の第１連結本体１０への取付けは、その裏面に設けられた係止爪等によって、該第１連結本体１０に対して着脱自在に取付けられる。尚、図３において、符号１９ａは、後記する各連結アーム５０，６０を露出させるためのアーム開口である。この第１カバー１９を第１連結本体１０に取付けた状態では、上記した第１連結本体１０の各固定止具等が被覆され、美観性に優れたものとなる。
【００３８】
上記第２連結本体３０は、図７（ａ）、（ｂ）に示すように、閉扉状態において、上記第１連結本体１０に略対面して配され、図１（ａ）及び図３に示すように、上記吊元側縦枠６ａに設けられた取付け凹所９に収容されて固着される第２ケーシング３１と、該第２ケーシング３１に収容されて固定される第２調整ブロック４０とを備えている。
上記第２ケーシング３１は、図３に示すように、上記第１連結本体１０が備える第１ケーシング１１と略同様の構成であり、上記吊元側縦枠６ａの手前側部近傍の開口側面７に略平行に配されて、上記取付け凹所９の奥側面に沿うように収容される第２ケーシング背部３２と、該第２ケーシング背部３２の上端部及び下端部からそれぞれ水平方向に向けて屈曲され、上記取付け凹所９の天面及び底面にそれぞれ沿うように収容される第２ケーシング天面部３４及び第２ケーシング底面部３６と、これら第２ケーシング天面部３４及び第２ケーシング底面部３６の先端部からそれぞれ上方及び下方に屈曲され、上記取付け凹所９の上下に連なるように形成された凹部に収容される上鍔部３５及び下鍔部３７とを備えている。
【００３９】
上記第２ケーシング背部３２の上端部位及び下端部位には、後記する第２調整ブロック４０を第２ケーシング３１に対して固定するための前後調整ねじ３８，３８がそれぞれ螺合する雌ねじ孔３３，３３がそれぞれ形成されている。該第２ケーシング背部３２の上記部位の取付け凹所９側の部位には、後記する前後調整ねじ３８，３８の先端部が上記取付け凹所９の奥側面に干渉しないよう空所を形成するように段部が形成されている。
該第２ケーシング３１は、上記取付け凹所９に収容され、上記第１ケーシング１１と同様、図１（ａ）に示すように、上記上鍔部３５及び下鍔部３７に設けられた挿通孔を介して木ネジ等の固着具によって、上記吊元側縦枠６ａの手前側部近傍の開口側面７に固着される。
【００４０】
上記第２調整ブロック４０は、上記第１調整ブロック２０と同様、例えば、金属材料等からなる四角柱形状の材料を適宜、加工（切削、鋳造等）して形成されており、図１（ａ）及び図３に示すように、略水平方向に沿ってそれぞれ切り欠き形成された第２アーム収容凹部４２と、第１アーム収容凹部４１とが、上下に所定間隔を隔てて設けられている。
上記第２アーム収容凹部４２と、上記第１連結本体１０に設けられた第２アーム収容凹部２２とは、図７（ａ）に示すように、閉扉状態において、互いに向き合う方向に向けて開口している。また、上記第１アーム収容凹部４１と、上記第１連結本体１０に設けられた第１アーム収容凹部２１とは、図７（ｂ）に示すように、閉扉状態において、互いに向き合う方向に向けて開口している。
これら各アーム収容凹部４１，４２は、上記第１連結本体１０と同様、当該第２連結本体２０が上記取付け凹所９に収容された状態では、両側部のうちの開口する一側部が吊元側縦枠６ａの取付け凹所９の一側壁部によって閉塞された状態となる。尚、このような形状とせずに、上記第１調整ブロック２０と同様、当該第２調整ブロック４０自体を刳り抜くようにして、閉扉状態において当該第２連結本体３０に略対面して配される上記第１連結本体１０側にのみ開口したアーム収容凹部としてもよい。
【００４１】
また、上記第２調整ブロック４０には、図１（ａ）に示すように、後記する第２連結アーム６０の回動支点となる第２アーム支持軸４４と、後記する第１連結アーム５０の回動支点となる第１アーム支持軸４３とが、上下の異なる箇所に設けられ、かつ、平面視において、その軸心（回動支点）が異なる位置となるように設けられている。
上記第２アーム支持軸４４は、上記第２アーム収容凹部４２の空所を上下に貫通するように設けられている一方、上記第１アーム支持軸４３は、上記第１アーム収容凹部４１の空所を上下に貫通するように設けられている。
これら各支持軸４３，４４は、上記第１連結本体１０と同様、図３に示すように、例えば、当該第２調整ブロック４０に上下方向に沿って設けられた貫通孔或いは挿通穴等から挿入し、後記する各連結アーム５０，６０に設けられた各軸挿通孔５４，６４に挿通させて、ピン部材等の固定支持手段によって第２調整ブロック４０に取付け、固定するようにしてもよい。
【００４２】
上記各支持軸４３，４４は、図７（ａ）、（ｂ）に示すように、本実施形態では、吊元側縦枠６ａの見付け方向（閉扉状態における扉２の幅方向と同方向）に沿って、互いにずれた位置となるように設けられており、上記第１アーム支持軸４３が上記第２アーム支持軸４４よりも開口部ｏｐ側に寄った位置となるように設けられている。
また、これら各支持軸４３，４４は、吊元側縦枠６ａの見込み方向（内壁ｗの厚み方向）に沿って、互いにずれた位置となるように設けられており、上記第２アーム支持軸４４が上記第１アーム支持軸４３よりも手前側面８側に寄った位置となるように設けられている。
【００４３】
さらに、これら各支持軸４３，４４は、平面視において、それぞれ吊元側縦枠６ａの手前側面（見付け面）８に、比較的、寄った位置となるように設けられている。すなわち、吊元側縦枠６ａの取付け面部を構成する上記開口側面７に隣接する面（手前側面及び背面）のうち、上記扉２が後記するように、閉扉状態から開扉される際に、該扉２に近接する側の隣接面である手前側面８に寄った位置となるように、上記各支持軸４３，４４を設けている。
すなわち、本実施形態では、上記第１連結本体１０に設けられた各支持軸２３，２４、及び当該第２連結本体３０に設けられた各支持軸４３，４４は、いずれも比較的、手前側に寄った位置に設けられている。これにより、例えば、逆側寄りに設けるようなものと比べて、扉２の開閉に伴ってなされる各連結本体１０，３０の相対的な移動半径を小さくできる。つまり、扉２と吊元側縦枠６ａとが干渉しないように扉２を開閉自在に連結する場合において、上記逆側寄りに各回動支点となる各支持軸を設けた場合には、後記する各連結アーム５０，６０を、比較的、長くする必要があり、上記各連結本体１０，３０の移動半径が大きくなるが、上記構成によれば、上記移動半径を小さくすることができる。従って、扉２と吊元側縦枠６ａとの間の隙間を比較的、小さくすることができる。
【００４４】
また、上記第１連結本体１０に設けられた各支持軸２３，２４と、上記第２連結本体３０に設けられた各支持軸４３，４４とは、図７に示すように、閉扉状態において、第１アーム支持軸２３，４３の軸心同士を結ぶ直線５６と、第２アーム支持軸２４，４４の軸心同士を結ぶ直線６６とが僅かに交差するように設けられている。すなわち、後記する第１連結アーム５０の各端部の回動支点をそれぞれ構成する第１アーム支持軸２３の軸心と第１アーム支持軸４３の軸心とを結ぶ直線５６と、後記する第２連結アーム６０の各端部の回動支点をそれぞれ構成する第２アーム支持軸２４の軸心と第２アーム支持軸４４の軸心とを結ぶ直線６６と、が僅かに交差するように設けられている。
これら直線５６と、直線６６との交差態様は、後記するように、閉扉状態とされた扉２が開扉される際に、概ね交差するようにすればよく、例えば、閉扉状態からの開放度が比較的、小さい状態（例えば、後記する開放角度が、０°〜２０°程度の状態）では、交差しないような態様、すなわち、閉扉状態において、直線５６と、直線６６とが交差していない状態、或いは、接しているような状態としてもよい。
【００４５】
また、本実施形態では、閉扉状態において、扉２が背面側に向けて回動し難いよう、上記各支持軸を位置させるとともに、上記各直線５６，６６の交差点が位置するように設定されている。本実施形態では、上記直線６６上の交差点が閉扉状態において、扉２側に位置するように、すなわち、上記第２アーム支持軸４４の軸心から上記交差点までの距離が、該交差点から上記第２アーム支持軸２４までの距離よりも大きくなるよう設定されている。
さらに、本実施形態では、後記するように扉２が完全に開扉された状態では、扉２が内壁ｗ側に向けて回動し難いよう、上記各支持軸を位置させるとともに、上記各直線５６，６６の交差点が位置するように設定されている。本実施形態では、図６（ａ）に示すように、上記直線６６上の交差点が吊元側縦枠６ａ側に位置するように、すなわち、上記第２アーム支持軸４４の軸心から上記交差点までの距離が、該交差点から上記第２アーム支持軸２４までの距離よりも小さくなるよう設定されている。
【００４６】
上記各支持軸２４，４４，２３，４３の設置箇所は、適宜、設定可能であるが、例えば、上記扉２の開閉がなされる際に、当該扉２の吊元側端面３と、上記吊元側縦枠６ａの開口側面７とが、接触（当接）せず、かつ、これら扉２と吊元側縦枠６ａとの間の隙間を小さくするために、扉２の吊元側端面３の手前側縁部（面取り部３ａ）と上記第２アーム支持軸２４の軸心との間の距離が、上記直線６６と上記開口側面７とが交わる交差点から上記第２アーム支持軸２４の軸心までの距離よりも僅かに小さくなるようにしてもよい。同様に、上記扉２の開閉がなされる際に、当該扉２の手前面４と、上記吊元側縦枠６ａの上記面取り部７ａとが、接触（当接）せず、かつ、これら扉２と吊元側縦枠６ａとの間の隙間を小さくするために、扉２の手前面４と上記第２アーム支持軸２４の軸心との間の距離が、上記直線６６と上記面取り部７ａとが交わる交差点から上記第２アーム支持軸２４の軸心までの距離よりも僅かに小さくなるようにしてもよい。
【００４７】
上記第２調整ブロック４０の上端部位及び下端部位には、図１（ａ）及び図３に示すように、長径が上記吊元側縦枠６ａの手前側部近傍の開口側面７に略平行な方向かつ水平方向（当該第２調整ブロック４０の幅方向、吊元側縦枠６ａの見込み方向）に沿った前後調整用長孔４５，４５が設けられている。これら前後調整用長孔４５，４５に、前後調整ねじ３８，３８をそれぞれ挿通し、上記第２ケーシング３１に設けられた上記雌ねじ孔３３，３３に螺合させることで、該第２調整ブロック４０が該第２ケーシング３１に対して固定される。また、上記前後調整用長孔４５，４５の長径方向に沿って上記第２調整ブロック４０の固定位置の調整が可能となっている。すなわち、後記するように、該第２調整ブロック４０を、上記第２ケーシング３１に対して前後方向（吊元側縦枠６ａの見込み方向、壁厚方向）に位置調整可能に固定することができる構成とされている。
尚、上記前後調整ねじ３８としては、座金（ワッシャー）組込みねじとしてもよい。
【００４８】
上記構成とされた第２連結本体３０は、上記第１連結本体１０と同様、図３に示すように、例えば、合成樹脂等で製された第２カバー３９，３９によってカバーされる。該第２カバー３９の第２連結本体３０への取付けは、上記同様、その裏面に設けられた係止爪等によって、該第２連結本体３０に対して着脱自在に取付けられる。この第２カバー３９，３９を第２連結本体３０に取付けた状態では、上記した第２連結本体３０の各固定止具等が被覆され、美観性に優れたものとなる。
尚、本例では、第２カバー３９，３９を、後記する各連結アーム５０，６０を露出させ、当該カバー体に干渉しないよう、上下に分離させた態様を例示しているが、上記第１カバー１９と同様、開口を設けるような態様としてもよい。
また、図３において、符号３９ａは、当該第２カバー３９の吊元側縦枠６ａの開口側面７からの突出分を低減するために設けられた凹溝である。この凹溝３９ａを形成することで、後記するように、上記扉２の開閉がなされる際に、上記開口側面７に近接して移動する該扉２の吊元側端面３の手前側縁部（面取り部３ａ）と当該第２カバー３９，３９との当接を回避するようにしている。
【００４９】
上記第１連結アーム５０は、図１（ａ）及び図７（ｂ）に示すように、その一端部に設けられた軸挿通孔５２には、上記第１連結本体１０の第１アーム支持軸２３が挿通される一方、その他端部に設けられた軸挿通孔５４には、上記第２連結本体３０の第１アーム支持軸４３が挿通されて、上記第１連結本体１０と上記第２連結本体３０とを連結している。
この第１連結アーム５０は、扉２の開閉に伴って、その各端部が連結された上記各支持軸２３，４３をそれぞれ回動支点として、上記第１連結本体１０及び上記第２連結本体３０に対して相対的に移動する。
また、この第１連結アーム５０は、平面視において、略Ｕ字形状とされており、閉扉状態において、上記軸挿通孔５２が設けられた一端部から略背面側に向けて延びる一端アーム部５１と、上記軸挿通孔５４が設けられた他端部から略背面側に向けて延びる他端アーム部５３と、これら一端アーム部５１と他端アーム部５３とを連結する中間アーム部５５とを備えている。
該第１連結アーム５０は、図７（ｂ）に示すように、閉扉状態においては、上記第１連結本体１０及び第２連結本体３０のそれぞれに設けられた第１アーム収容凹部２１，４１に概ね収容される構造とされている。
【００５０】
上記第２連結アーム６０は、図１（ａ）及び図７（ａ）に示すように、その一端部に設けられた軸挿通孔６２には、上記第１連結本体１０の第２アーム支持軸２４が挿通される一方、その他端部に設けられた軸挿通孔６４には、上記第２連結本体３０の第２アーム支持軸４４が挿通されて、上記第１連結本体１０と上記第２連結本体３０とを連結している。
この第２連結アーム６０は、扉２の開閉に伴って、その各端部が連結された上記各支持軸２４，４４を回動支点として、上記第１連結本体１０及び上記第２連結本体３０に対して相対的に移動する。
また、この第２連結アーム６０は、上記第１連結アーム５０と略同様、平面視において、略Ｕ字形状とされており、閉扉状態において、上記軸挿通孔６２が設けられた一端部から略背面側に向けて延びる一端アーム部６１と、上記軸挿通孔６４が設けられた他端部から略背面側に向けて延びる他端アーム部６３と、これら一端アーム部６１と他端アーム部６３とを連結する中間アーム部６５とを備えている。
【００５１】
該第２連結アーム６０は、図７（ａ）に示すように、閉扉状態においては、上記第１連結本体１０及び第２連結本体３０のそれぞれに設けられた第２アーム収容凹部２２，４２に概ね収容される構造とされている。
すなわち、本実施形態では、上記第１連結アーム５０及び第２連結アーム６０は、それぞれに対応して設けられた第１連結本体１０及び第２連結本体３０の各アーム収容凹部２１，４１，２２，４２に、閉扉状態において、概ね収容される。換言すれば、このように各連結アーム５０，６０が概ね収容された状態では、上記第１連結本体１０と第２連結本体３０とが近接対面して配された状態となり、これら各連結アーム５０，６０が概ね収容されて露出せず、連結部における美観性を向上させることができる。つまり、隠し蝶番のような構造となる。
【００５２】
これら第１連結アーム５０及び第２連結アーム６０は、例えば、金属材料で製されている。また、上記第１連結アーム５０は、本実施形態では、上記第２連結アーム６０よりも機械的強度や剛性が大きく形成されており、図例のように、第２連結アーム６０よりも上下方向の高さが比較的、大きく形成されている。
尚、第１連結アーム５０の機械的強度や剛性を第２連結アーム６０よりも大きくするために、これら第１連結アーム５０及び第２連結アーム６０の材料として、材料固有の強度を異ならせたものをそれぞれ用いるようにしてもよい。
また、本実施形態では、各連結アーム５０，６０の各端部に、軸挿通孔を設けて、該軸挿通孔に各連結本体１０，３０に設けられた各支持軸を挿通させて、これら連結アーム５０，６０の各端部を、各連結本体１０，３０に回動自在に取付けた態様を例示しているが、例えば、各連結アーム５０，６０の各端部の上下に、ピン部材などを突設させ、該ピン部材を、各連結本体１０，３０に設けたピン支持凹部或いはピン支持孔等に挿入させることで、これら各連結アーム５０，６０の各端部を、各連結本体１０，３０に回動自在に取付けるような態様としてもよい。
【００５３】
以上のように、本実施形態に係る扉連結部材１を用いた扉連結構造によれば、扉２の取付け凹所５及び吊元側縦枠６ａの取付け凹所９に、それぞれ収容されて取付けられる第１連結本体１０と第２連結本体３０とは、上記第１連結アーム５０及び第２連結アーム６０によって連結された構造とされている。これにより、当該扉連結部材１の構造の簡略化が図れる。
また、上記第１連結アーム５０及び上記第２連結アーム６０のそれぞれの各端部は、それぞれ第１連結本体１０と第２連結本体３０とに回動自在に取付けられた構造とされているので、上記した従来の隠し蝶番のように、高さ方向に沿って異なる箇所に取付けられた各蝶番のスライド側の各支点がスライドすることによって生じる位置ズレ等が生じるような恐れがなく、扉２と吊元側縦枠６ａとの間の隙間を、高さ方向で略均一に保持することができる。これにより、扉２の連結部における美観性を向上させることができ、該扉２の戸先側が垂れ下るようなことも防止できる。
【００５４】
また、特に、本実施形態では、上記各連結アーム５０，６０を、平面視略Ｕ字形状としているので、例えば、各連結アームが略直線形状とされたものと比べて、美観性を阻害することなく、開扉される際における、これら各連結アームと、扉や取付け対象との干渉を低減することができる。
すなわち、開扉される際に、各連結アームが略直線形状とされたものでは、これら各連結アームが、上記した各アーム収容凹部の側壁部に当接してしまい開扉動作が阻害される場合があるが、上記構成とされた本実施形態では、後述のように、開扉されるに伴って折り畳まれるようにして近接する上記した各アーム収容凹部の側壁部を、該略Ｕ字形状とされた各連結アーム５０，６０の開放側の空間に受入れるようにして、開扉動作がなされる。従って、各連結アーム５０，６０が上記各アーム収容凹部の側壁部に当接することなく開扉動作がなされ、後述のように、扉２を約１８０°まで開放させることもできる。また、これにより、後述するように側壁部を切り欠くような必要もなく、美観性を向上させることができる。
【００５５】
次に、上記構成とされた扉連結部材１を用いて連結した扉２と扉枠６との位置調整の一例について、図１及び図５に基づいて説明する。
上記のように扉連結部材１を組み付けて、扉２の吊元側端面３及び吊元側縦枠６ａの開口側面７に当該扉連結部材１を取付けた後、扉枠６に対して、扉２の位置調整を行う際には、該扉２を開扉状態とし、扉２の吊元側端面３及び吊元側縦枠６ａの開口側面７を露出させ、上記各カバー１９，３９，３９を、各連結本体１０，３０から取外し、以下のように行うようにしてもよい。
【００５６】
＜上下位置調整＞
上記扉２を、吊元側縦枠６ａに対して、上方に移動させる場合は、図５（ｂ）に示すように、上記上下調整ボルト２６のボルト頭部２６ａをスパナまたはレンチ等の工具によってねじ作用方向に操作することで、上記第１調整ブロック２０に対する上下調整ボルト２６の進退量を調整する。本例では、上記上下調整ボルト２６は、右ねじを例示しており、該上下調整ボルト２６を緩める方向（図５（ｂ）における矢印方向）に操作することで、該上下調整ボルト２６が上記第１調整ブロック２０の雌ねじ穴２５（図５（ａ）参照）から突出する方向（伸長方向）へ移動する。
上記上下調整ボルト２６のボルト頭部２６ａが上記第１調整ブロック２０に対して突出する方向へ移動、すなわち、該第１調整ブロック２０に対して上記上下調整ボルト２６が伸長することによって、該第１調整ブロック２０と上記連結支持ピン２８，２８によって連結された上記第１ケーシング１１が、該連結支持ピン２８，２８の上下調整用長孔１３，１３に沿う相対的な移動を伴って上方に向けて移動する。これにより、該第１ケーシング１１が固着された扉２が、上記吊元側縦枠６ａに対して上方に向けて移動する。
【００５７】
一方、上記扉２を、吊元側縦枠６ａに対して、下方に移動させる場合は、図示はしていないが、上記とは逆方向（図例では締め付け方向）に上記上下調整ボルト２６のボルト頭部２６ａを操作することで、該上下調整ボルト２６が上記第１調整ブロック２０の雌ねじ穴２５（図５（ａ）参照）に没入する方向（短縮方向）へ移動し、上記第１ケーシング１１が下方に向けて移動する。これにより、該第１ケーシング１１が固着された扉２が、上記吊元側縦枠６ａに対して下方に向けて移動する。
本実施形態では、上述のように、第１ケーシング１１と第１調整ブロック２０とは、複数本（図例では二本）の連結支持ピン２８によって連結されているので、このように上下方向への位置調整を行う際にも安定して相対的な上下移動がなされる。
尚、本実施形態のように、扉２と扉枠６との連結部の高さ方向に沿って、複数箇所（本実施形態では、二箇所）に扉連結部材１を設けた態様において、上述のように上下の位置調整を行う際は、扉２を上方に移動させる際には、上部側に設けられたものから順に少しずつ調整し、扉２を下方に移動させる際には、下部側に設けられたものから順に少しずつ調整するようにしてもよい。
【００５８】
＜左右位置調整＞
上記扉２を、吊元側縦枠６ａに対して、図２に示す閉扉状態における左方（閉扉状態において対面する扉２の吊元側端面３と吊元側縦枠６ａの開口側面７とを離間させる方向）に移動させる場合は、図５に示すように、上記連結支持ピン２８の雄ねじ部２８ａの操作部を、プラスドライバー等の工具によってねじ作用方向に操作する。本例では、上記連結支持ピン２８の雄ねじ部２８ａは、右ねじを例示しており、該雄ねじ部２８ａを締め付ける方向（図５（ｂ）における矢印方向）に操作することで、該雄ねじ部２８ａに螺合する雌ねじ部２７が設けられた上記第１調整ブロック２０と、該第１ケーシング１１とが、該雄ねじ部２８ａに沿って相対的に移動する。すなわち、これら第１調整ブロック２０と第１ケーシング１１とが互いに離間する方向に移動する。これにより、該第１ケーシング１１が固着された扉２が、上記吊元縦枠６ａから離間する方向（図２における左方側）に向けて移動する。
【００５９】
一方、上記扉２を、吊元側縦枠６ａに対して、図２に示す閉扉状態における右方（閉扉状態において対面する扉２の吊元側端面３と吊元側縦枠６ａの開口側面７とを近接させる方向）に移動させる場合は、図示はしていないが、上記とは逆方向（図例では緩める方向）に上記連結支持ピン２８の雄ねじ部２８ａの操作部を操作することで、上記第１調整ブロック２０と第１ケーシング１１とが互いに近接する方向に移動する。これにより、該第１ケーシング１１が固着された扉２が、上記吊元縦枠６ａに近接する方向（図２における右方側）に向けて移動する。
尚、当該左右位置調整をする際にも、上記上下位置調整と同様、各連結支持ピン２８を少しずつ操作して、調整するようにしてもよい。
【００６０】
＜前後位置調整＞
上記扉２を、上記扉枠６に対して、図２に示す閉扉状態における手前側に移動させる場合は、上記第２調整ブロック４０を上記第２ケーシング３１に対して固定する上記各前後調整ねじ３８，３８を、これら前後調整ねじ３８，３８の前後調整用長孔４５，４５に沿う相対的な移動が可能な程度に、プラスドライバー等の工具によって緩めて、該第２調整ブロック４０を第２ケーシング３１に対して手前側（図５（ａ）における右方側）に向けて移動させ、適宜位置で各前後調整ねじ３８を締め付ける。これにより、該第２調整ブロック４０に上記各連結アーム５０，６０を介して連結された第１調整ブロック２０が扉枠６に対して手前側（図５（ａ）における右方側）に向けて移動し、該第１調整ブロック２０に第１ケーシング１１を介して固定された扉２が、扉枠６に対して、手前側（図５（ａ）における右方側）に移動する。
【００６１】
一方、上記扉２を、上記扉枠６に対して、図２に示す閉扉状態における背面側に移動させる場合は、図示はしていないが、上記同様、上記各前後調整ねじ３８，３８を緩めて、該第２調整ブロック４０を第２ケーシング３１に対して、上記とは逆方向（背面側（図５（ａ）における左方側））に向けて移動させ、適宜位置で各前後調整ねじ３８を締め付ける。これにより、該第２調整ブロック４０に上記各連結アーム５０，６０を介して連結された第１調整ブロック２０が扉枠６に対して背面側に向けて移動し、該第１調整ブロック２０に第１ケーシング１１を介して固定された扉２が、扉枠６に対して、背面側に移動する。
【００６２】
以上のように、本実施形態に係る扉連結部材１を用いて扉２を扉枠６に連結した扉連結構造によれば、簡易な構造でありながらも、上下位置調整時における作業性を向上させることができる。すなわち、簡易な操作によって上下位置の調整を行うことができ、また、一人でも容易に作業を行うことができる。
また、上記のように、上下調整ねじ部を構成する上下調整ボルト２６は、上記第１調整ブロック２０のブロック側ねじ部を構成する雌ねじ穴２５に螺合し、ねじ作用によって上下に進退する構成とされているので、調整後の上下位置の位置ズレを確実に防止できるとともに、僅かな上下位置の調整も容易かつ確実に行うことができる。
さらに、本実施形態に係る扉連結部材１を用いた扉連結構造によれば、上下位置の調整のみならず、扉２を、扉枠６に対して、左右方向、前後方向へも位置調整が可能であり、扉２を扉枠６に対して連結した後に、三方向への位置調整が可能となる。
【００６３】
次に、上記構成とされた扉連結部材１を用いて扉枠６に連結された扉２の開閉動作の一例について、図６〜図８に基づいて説明する。尚、以下で示す開放角度は、扉２の吊元側端面３と、吊元側縦枠６ａの開口側面７とのなす角度を示している。また、図８では、開放角度０°の閉扉状態の扉２Ａを実線で示し、開放角度が４５°程度の状態の扉２Ｂを破線で示し、開放角度が９０°程度の状態の扉２Ｃを一点鎖線で示し、開放角度が１３５°程度の状態の扉２Ｄを二点鎖線で示し、開放角度が１８０°程度の状態の扉２Ｅを実線で示している。
【００６４】
まず、図７（ａ）、（ｂ）に示すように、閉扉状態（開放角度が０°の状態）とされた扉２（図８においては、扉２Ａの状態）を、把手２ａ（図２参照）をして、開放角度が４５°程度となるまで開放させた状態（図８における扉２Ｂの状態）では、上記第２連結アーム６０は、上記第２連結本体３０に設けられた第２アーム支持軸４４を支点として、手前側に向けて回動し、また、該第２連結アーム６０の一端部に連結された第１連結本体１０が、第２アーム支持軸２４を支点として第２連結アーム６０に対して回動する。この状態では、図示はしていないが、略Ｕ字形状とされた該第２連結アーム６０の凸曲部側、すなわち、上記中間アーム部６５側が、扉２の開放動作に伴って、第２連結本体３０と第１連結本体１０とが離間して形成された扇状の空間側に突出するように位置した状態となる。
【００６５】
また、上記のように開放される際には、第１連結アーム５０は、上記第２連結アーム６０と同様、上記第２連結本体３０に設けられた第１アーム支持軸４３を支点として、手前側に向けて回動し、また、該第１連結アーム５０の一端部に連結された第１連結本体１０が、第１アーム支持軸２３を支点として第１連結アーム５０に対して回動する。この状態では、図示はしていないが、上記第２連結アーム６０と同様、略Ｕ字形状とされた該第１連結アーム５０の凸曲部側、すなわち、上記中間アーム部５５側が、扉２の開放に伴って、第２連結本体３０と第１連結本体１０とが離間して形成された扇状の空間側に突出するように位置した状態となる。
上記のように上記各連結アーム５０，６０を介して第２連結本体３０に連結された第１連結本体１０が、上記各連結アーム５０，６０の移動を伴って、第２連結本体３０に対して移動することで、図８に示すように、上記扉２は、その吊元側端面３の面取り部３ａが、上記吊元側縦枠６ａの開口側面７に近接した状態で開放動作がなされる。
【００６６】
次いで、開放角度が１３５°程度の状態（図８における扉２Ｄの状態）となるまで扉２の開放がなされる際には、上記同様、第１連結本体１０が、上記各連結アーム５０，６０の移動を伴って、第２連結本体３０に対して移動する。この状態及びこの前後の状態では、扉２の吊元側端部近傍の手前面４が、上記吊元側縦枠６ａの面取り部７ａに近接、対面するようにして、開放動作がなされる。
また、この状態及びこの前後の状態では、図示はしていないが、上記のように、それぞれ略Ｕ字形状とされた各連結アーム５０，６０のＵ字状の開放空間内に、各アーム収容凹部２１，２２，４１，４２の近接側の側壁部（扉２の吊元側端部の手前側の部位、吊元側縦枠６ａの手前側の部位）を受入れるように、その開放動作がなされる。
【００６７】
次いで、上記扉２の更なる開放動作を伴って、当該扉２を完全に開扉させた状態（開放角度が１８０°程度の状態、図８における扉２Ｅの状態）では、図６（ａ）、（ｂ）に示すように、扉２の吊元側端部近傍の手前面４と、上記吊元側縦枠６ａの手前側面８とが対面した状態となる。
また、この状態では、第１連結本体１０及び第２連結本体３０のそれぞれ各アーム収容凹部２１，２２，４１，４２が、上記戸先側縦枠６ｂ（図２参照）側に向けて開口した状態となり、上記各連結アーム５０，６０は、これらの各一端アーム部５１，６１と、各他端アーム部５３，６３との間、すなわち、Ｕ字状の開放空間内に、各アーム収容凹部２１，２２，４１，４２の近接側の上記側壁部を挟みいれるようにして、受入れた状態となる。
尚、上記のように完全に開扉させた状態からの閉動作は、上記とは逆ではあるが同様にしてなされる。
【００６８】
上記のような扉２の開閉動作を、本発明に係る扉連結部材１を用いた扉連結構造を概念的に示す図８に基づいて更に説明する。
閉扉された扉２Ａの状態から、順に、扉２Ｂの状態、扉２Ｃの状態、扉２Ｄの状態、扉２Ｅの状態となるに従って、第１連結アーム５０は、第２連結本体３０側の第１アーム支持軸４３を支点として、手前側に向けて回動し、第２連結アーム６０は、第２連結本体３０側の第２アーム支持軸４４を支点として、手前側に向けて回動する。また、これら各連結アーム５０，６０の一端部がそれぞれ回動自在に連結された第１連結本体１０は、これら各連結アーム５０，６０との相対的な移動を伴って手前側に向けて移動し、扉２の開放動作がなされる。
また、これら各連結本体１０，３０がそれぞれ収容されて連結された扉２と吊元側縦枠６ａとは、図８に示すように、常時、近接した位置関係を保持するようにして、扉２の開閉動作がなされる。
【００６９】
上記のように閉扉状態から開放動作がなされ、開扉状態とされる際、及び開扉状態から閉動作がなされ、閉扉状態とされる際には、図８に示すように、上記第１アーム支持軸２３，４３の軸心同士を結ぶ直線５６と、上記第２アーム支持軸２４，４４の軸心同士を結ぶ直線６６とが、常時、交差した状態で、上記第１連結アーム５０と第２連結アーム６０とは、互いに独立して移動する構造とされている。
このように、直線５６と直線６６とが交差した状態では、上記各連結アーム５０，６０が互いに規制し合うので、扉２の開閉がなされる際に、該扉２を一定の軌道上に沿って移動させることができ、該扉２の開閉動作がスムーズになされる。
【００７０】
尚、本実施形態では、各連結アーム５０，６０の具体的な構造の一例として、平面視略Ｕ字形状とされたものを例示しているが、図８の概念図に示すように、第１アーム支持軸２３，４３に両端部を連結させた略直線形状の第１連結アームと、第２アーム支持軸２４，４４に両端部を連結させた略直線形状の第２連結アームとによって、各連結アームを構成するようにしてもよい。このような場合には、上記各アーム収容凹部の上記した近接側の側壁部に当接しないように、例えば、これら側壁部を切り欠いたようなアーム収容凹部としてもよい。
また、上記した各連結アーム５０，６０における各端部の回動支点の配置態様等は、一例であり、上記第１連結アーム５０と上記第２連結アーム６０とが、上述のように、閉扉状態から開扉状態とされる際に、第１連結アーム５０における各端部の回動支点を結ぶ直線５６と、上記第２連結アーム６０における各端部の回動支点を結ぶ直線６６とが概ね交差するように互いに独立して移動する構造であれば、どのような態様としてもよい。
さらに、本実施形態では、上記のように、扉２の開放角度が０°の状態から開放角度が１８０°となるまで開放可能な態様を例示しているが、１８０°よりも小さい開放角度となるまで、或いは、１８０°よりも大きい開放角度となるまで、開放可能な態様としてもよい。
【００７１】
さらに、本実施形態では、上記第１連結本体１０と第２連結本体３０とを、扉２の開閉動作に伴う相対的な移動を可能に連結する連結アームとして、第１連結アーム５０と第２連結アーム６０とを備えた態様を例示しているが、さらに、もう一つ、上記第２連結アーム６０と同様の構成とされた第２連結アーム６０を、上記第１連結アーム５０の下方に設けるような態様としてもよい。このように、上記第１連結アーム５０の上下のそれぞれに、ガイドアームとなる第２連結アーム６０，６０を設けた扉連結部材とすれば、扉の開閉動作がより安定してなされる。
さらにまた、上述のように、１つの第１連結アーム５０と、２つの第２連結アーム６０，６０とを備えた態様に限られず、これら第１連結アーム５０及び第２連結アーム６０のうちの少なくともいずれか一方を、更に一つ以上、備えたものとしてもよい。また、このような複数の連結アームを備えたものでは、第１連結アーム５０と、第２連結アーム６０とを上下に交互に設けるような態様としてもよい。
【００７２】
また、本実施形態では、上記第１連結本体１０と第２連結本体３０とを、扉２の開閉動作に伴う相対的な移動を可能に連結する連結アームとして、扉２の開閉動作がなされる際に、互いに独立して移動する構成とされた複数本の連結アームを備えたものを例示しているが、このような態様に限られない。例えば、上記した従来の隠し蝶番のように、垂直回転軸で連結された複数本（例えば、二本）の連結アームを備えたものとしてもよい。この場合は、上記二本の連結アームのうち、一方の連結アームの一端を上記第１連結本体の支持部に回動自在に取付け、その他端を上記第２連結本体に設けたスライド溝にスライド自在かつ回動自在に支持させた構造とし、また、上記二本の連結アームのうち、他方の連結アームの一端を上記第２連結本体の支持部に回動自在に取付け、その他端を上記第１連結本体に設けたスライド溝にスライド自在かつ回動自在に支持させた構造としてもよい。
このような隠し蝶番は、扉の開閉動作に伴って、上記二本の連結アームが上記垂直回転軸を支点として相対的に回動しながら、それぞれの一端が上記支持部を支点として回動するとともに、それぞれの他端がスライド溝に対して回動しながら該スライド溝に沿ってスライドし、上記第１連結本体と上記第２連結本体とが相対的に移動して、扉の開閉がなされるものではあるが、このようなものにも本発明の適用が可能である。
【００７３】
さらに、本実施形態では、上記第１連結本体１０を扉２側に取付け、上記第２連結本体３０を扉枠６側に取付け、上下調整ねじ部２６を、第１ケーシング１１を介して扉２の荷重が掛かる第１調整ブロック２０の上端部に設けた態様を例示しているが、逆側にそれぞれを取付けるような態様としてもよい。この場合は、上記第１調整ブロック２０のブロック側ねじ部２５及び上下調整ねじ部２６を、上記各連結アーム５０，６０を介して扉２の荷重が掛かる第１調整ブロック２０の下端部側に設け、第１ケーシング底面部１６を調整受け部として把握するようにすればよい。このような態様とした場合にも上下調整ねじ部２６をねじ作用方向に操作することで、扉２と扉枠６とを相対的に上下に移動させることができる。
さらにまた、本実施形態では、上記第１ケーシング１１と上記第１調整ブロック２０とを相対的に上下に移動させる手段として、上記第１調整ブロック２０に設けられた雌ねじ穴２５と該雌ねじ穴２５に螺合する上下調整ボルト２６とによって構成した態様を例示しているが、このような態様に限られず、当該第１調整ブロック２０に対して上下方向に進退可能とされるとともに、その進退量を調整するための調整操作部及び第１ケーシング１１に当接する調整当接部を有した上下調整ねじ部であればどのようなものでもよい。例えば、上記第１調整ブロック２０に雄ねじ部（ブロック側ねじ部）を突設させ、該雄ねじ部に螺合するナット部材を上下調整ねじ部とし、該ナット部材の側面部を調整操作部、上端部（或いは下端部）を調整当接部とするような態様としてもよい。
【００７４】
また、本実施形態では、上記第１ケーシング１１と上記第１調整ブロック２０とを連結する手段として、二本の連結支持ピン２８，２８を備えた態様を例示しているが、該連結支持ピンの本数は、一本または三本以上としてもよく、この本数に合わせて上記第１ケーシング１１に上下調整用長孔１３を設けるようにすればよい。
さらに、本実施形態では、上記第１ケーシング１１と上記第１調整ブロック２０とを連結する手段としての連結支持ピン２８と、上記第１調整ブロック２０に設けられた雌ねじ部２７とによって、左右の位置調整が可能とされた態様を例示しているが、このような態様に限られない。例えば、左右の位置調整が不可能な態様、すなわち、上記第１調整ブロック２０から上記第１ケーシング１１に向けて突出し、第１ケーシング１１に設けられた上下調整用長孔１３に沿って移動可能とされ、かつ該第１ケーシング１１に対して連結される連結突起部としてもよい。また、この場合には、第１ケーシング背部１２に上下調整用長孔１３を設ける態様に限られず、例えば、ケーシング側面部を設け、該側面部に長孔を形成し、それに合わせて第１調整ブロックの側面部に上記連結突起部を設けるような態様としてもよい。
【００７５】
さらにまた、本実施形態では、上記第２ケーシング３１に対して上記第２調整ブロック４０を固定する固定止具を、第２ケーシング３１に雌ねじ孔３３を設け、該雌ねじ孔３３に螺合する前後調整ねじ３８とした態様を例示しているが、このような態様に限られない。例えば、上記第２ケーシング３１にボルト挿通孔を設け、該ケーシングの背面（凹所側の面）にナット部材を設けて、該ナット部材に螺合するボルト部材によって、固定止具を構成するようにしてもよい。
また、本実施形態では、上記第２調整ブロック４０に前後調整用長孔４５を設けて、該第２調整ブロック４０と上記第２ケーシング３１とを相対的に前後（当該第２連結本体の幅方向）に位置調整が可能な構成とした態様を例示しているが、このような前後位置調整手段を設けない態様としてもよい。
【００７６】
次に、本発明に係る扉連結部材の変形例について、図９に基づいて説明する。
尚、以下の各変形例に係る各扉連結部材の具体的構造については、上記第１実施形態に係る扉連結部材１と略同様であるので、説明を省略し、異なる構成について主に説明する。
【００７７】
図９（ａ）は、第１変形例に係る扉連結部材１Ａを用いた扉連結構造の一例を概念的に示す説明図である。尚、図９（ａ）では、扉及び取付け対象としての側板を二点鎖線で示している。
本変形例では、キャビネット等の収納庫の側板６Ａａと、該収納庫の収納空間を閉塞或いは開放するための扉２Ｆとの連結部に、扉連結部材１Ａを設けた例を示している。
上記扉連結部材１Ａの第１連結本体１０Ａは、扉２Ｆにおける吊元側端部の端面４Ａ近傍の背面３Ａに設けられた取付け凹所５Ａに収容、固定されており、また、第２連結本体３０Ａは、側板６Ａａの手前側端面７Ａに設けられた取付け凹所９Ａに収容、固定されている。
また、第１連結アーム５０Ａは、各端部が上記同様、支持軸２３Ａ，４３Ａに回動自在に取付けられ、第２連結アーム６０Ａは、各端部が上記同様、支持軸２４Ａ，４４Ａに回動自在に取付けられている。すなわち、本変形例においても第１連結本体１０Ａ側の各支持軸２３Ａ，４３Ａは、開扉される際に、側板６Ａａに近接する側の面である吊元側端面４Ａ側に、比較的、寄った位置となるように設けられている一方、第２連結本体３０Ａ側の各支持軸２４Ａ，４４Ａは、開扉される際に、扉２Ｆが近接する側の面である外側面８Ａ側に、比較的、寄った位置となるように設けられている。
【００７８】
また、本変形例においても、上記第１連結アーム５０Ａの各端部の回動支点を結ぶ直線５６Ａと、上記第２連結アーム６０Ａの各端部の回動支点を結ぶ直線６６Ａとが閉扉状態において交差した態様とされている。
上記構成とされた扉連結部材１Ａを用いた扉連結構造では、扉２Ｆが開放されるに従って、上記同様にして、第２連結本体３０Ａに対して、上記第１連結アーム５０Ａ及び第２連結アーム６０Ａの移動を伴って、上記第１連結本体１０Ａが移動する。
また、このような本変形例においても上記第１実施形態と同様の効果を奏する。
尚、上記第１実施形態において説明した上記各位置調整は、本変形例においては、上記左右位置調整が前後位置調整（側板６Ａａの手前側端面７Ａと扉２Ｆにおける吊元側端部の端面４Ａ近傍の背面３Ａとを近接、離間させる方向の位置調整）に相当し、上記前後位置調整が左右位置調整（側板６Ａａに対する扉２Ｆの幅方向への位置調整）に相当する。すなわち、上記同様、三方向への位置調整が可能である。
【００７９】
図９（ｂ）は、第２変形例に係る扉連結部材１Ｂを用いた扉連結構造の一例を概念的に示す説明図である。尚、図９（ｂ）では、扉及び取付け対象としての他方の扉を二点鎖線で示している。
本変形例では、折戸を構成する扉２Ｇと扉２Ｈとの連結部に、扉連結部材１Ｂを設けた例を示している。すなわち、本変形例では、扉２Ｇの取付け対象を、他方の扉２Ｈとして把握している。
上記扉連結部材１Ｂの第１連結本体１０Ｂは、扉２Ｇの連結部側端面３Ｂに設けられた取付け凹所５Ｂに収容、固定されており、また、第２連結本体２０Ｂは、他方の扉２Ｈの連結部側端面７Ｂに設けられた取付け凹所９Ｂに収容、固定されている。
また、第１連結アーム５０Ｂは、各端部が上記同様、支持軸２３Ｂ，４３Ｂに回動自在に取付けられ、第２連結アーム６０Ｂは、各端部が上記同様、支持軸２４Ｂ，４４Ｂに回動自在に取付けられている。すなわち、本変形例においても第１連結本体１０Ｂ側の各支持軸２３Ｂ，４３Ｂは、開扉される際に、他方の扉２Ｈに近接する側の面である背面４Ｂ側に、比較的、寄った位置となるように設けられている一方、第２連結本体３０Ｂ側の各支持軸２４Ｂ，４４Ｂは、開扉される際に、扉２Ｇが近接する側の面である背面８Ｂ側に、比較的、寄った位置となるように設けられている。
【００８０】
また、本変形例においても、上記第１連結アーム５０Ｂの各端部の回動支点を結ぶ直線５６Ｂと、上記第２連結アーム６０Ｂの各端部の回動支点を結ぶ直線６６Ｂとが閉扉状態において交差した態様とされている。
上記構成とされた扉連結部材１Ｂを用いた扉連結構造では、扉２Ｇと扉２Ｈとからなる折戸が開放される（折り畳まれる）に従って、上記第１連結本体１０Ｂと、上記第２連結本体３０Ｂとは、上記第１連結アーム５０Ｂ及び第２連結アーム６０Ｂの移動を伴って、相対的に移動することで、当該折戸の開放がなされる。
また、このような本変形例においても上記第１実施形態と同様の効果を奏する。
尚、上記第１実施形態において説明した上記各位置調整は、本変形例においては、取付け対象が異なるのみで略同様であり、三方向への位置調整が可能である。
【００８１】
また、上記第１実施形態及び各変形例では、各扉連結部材によって連結する扉及び取付け対象の例として、それぞれ取付け凹所を設けた扉や扉枠等を例示しているが、本発明に係る扉連結部材の適用箇所は、その他、種々の扉と取付け対象との連結部に適用可能である。
【符号の説明】
【００８２】
１，１Ａ，１Ｂ          扉連結部材
２，２Ｆ，２Ｇ          扉
２Ｈ                    他方の扉（取付け対象）
３                      扉の吊元側端面（取付け面部）
３Ａ                    扉の吊元側端部の端面近傍の背面（取付け面部）
３Ｂ                    扉の連結部側端面（取付け面部）
５，５Ａ，５Ｂ          扉の取付け凹所（凹所）
６ａ                    吊元側縦枠（取付け対象）
６Ａａ                  収納庫の側板（取付け対象）
７                      縦枠の手前側部近傍の開口側面（取付け面部）
７Ａ                    側板の手前側端面（取付け面部）
７Ｂ                    他方の扉の連結部側端面（取付け面部）
９                      縦枠の取付け凹所（凹所）
９Ａ                    側板の取付け凹所（凹所）
９Ｂ                    他方の扉の取付け凹所（凹所）
１０，１０Ａ，１０Ｂ    第１連結本体
１１                    第１ケーシング
１２                    第１ケーシング背部（ケーシング背部）
１３                    上下調整用長孔（長孔）
１４                    第１ケーシング天面部（調整受け部）
２０                    第１調整ブロック
２１                    第１アーム収容凹部（アーム収容凹部）
２２                    第２アーム収容凹部（アーム収容凹部）
２３，２３Ａ，２３Ｂ    第１アーム支持軸（第１連結アームの第１連結本体側の回動支点）
２４，２４Ａ，２４Ｂ    第２アーム支持軸（第２連結アームの第１連結本体側の回動支点）
２５                    雌ねじ穴（ブロック側ねじ部）
２６                    上下調整ボルト（上下調整ねじ部、ボルト部材）
２６ａ                  ボルト頭部（調整操作部、調整当接部）
２７                    雌ねじ部
２８                    連結支持ピン（連結突起部）
２８ａ                  雄ねじ部
２８ｂ                  連結支持ピンの一端部
３０，３０Ａ，３０Ｂ    第２連結本体
３１                    第２ケーシング
３８                    前後調整ねじ（固定止具）
４０                    第２調整ブロック
４１                    第１アーム収容凹部（アーム収容凹部）
４２                    第２アーム収容凹部（アーム収容凹部）
４３，４３Ａ，４３Ｂ    第１アーム支持軸（第１連結アームの第２連結本体側の回動支点）
４４，４４Ａ，４４Ｂ    第２アーム支持軸（第２連結アームの第２連結本体側の回動支点）
４５                    前後調整用長孔（調整用長孔）
５０，５０Ａ，５０Ｂ    第１連結アーム（連結アーム）
５２                    第１連結アームの第１連結本体側の軸挿通孔（第１連結アームの一端部に設けられた軸挿通孔）
５４                    第１連結アームの第２連結本体側の軸挿通孔（第１連結アームの他端部に設けられた軸挿通孔）
５６，５６Ａ，５６Ｂ    第１連結アームにおける各端部の回動支点を結ぶ直線
６０，６０Ａ，６０Ｂ    第２連結アーム（連結アーム）
６２                    第２連結アームの第１連結本体側の軸挿通孔（第２連結アームの一端部に設けられた軸挿通孔）
６４                    第２連結アームの第２連結本体側の軸挿通孔（第２連結アームの他端部に設けられた軸挿通孔）
６６，６６Ａ，６６Ｂ    第２連結アームにおける各端部の回動支点を結ぶ直線
【図１】
2010255239.tif 000003
【図２】
2010255239.tif 000004
【図３】
2010255239.tif 000005
【図４】
2010255239.tif 000006
【図５】
2010255239.tif 000007
【図６】
2010255239.tif 000008
【図７】
2010255239.tif 000009
【図８】
2010255239.tif 000010
【図９】
2010255239.tif 000011